(57)【要約】      （修正有）【課題】飲み口用孔から飲料液等を飲む際に開閉操作部材が鼻等に当たり難く、飲料液等を飲み易いマグカップを提供する。【解決手段】容器本体１と蓋部材２とを備え、蓋部材２は、飲み口用孔３５を有する蓋本体３と、飲み口用孔３５を開閉操作する開閉操作部材４とを備え、飲み口用孔３５は、蓋本体３の内面から外面に貫通するように形成され、蓋本体３は、開閉操作部材４が飲み口用孔３５を開閉できるように摺動する摺動溝を備え、開閉操作部材４は、蓋本体３の外面と開閉操作部材４の外面とが面一になるように、摺動溝に摺動自在に嵌り込んでいる。【選択図】図１
0003192011.tif 000002
【実用新案登録請求の範囲】
【請求項１】
上部に開口を有する容器本体と、前記容器本体に、前記開口を塞ぐように着脱自在に取り付けられた蓋部材とを備えたマグカップであって、
前記蓋部材は、飲み口用孔を有する蓋本体と、前記飲み口用孔を開閉操作する開閉操作部材とを備え、
前記蓋本体は、外面を内側に凹ませることにより形成された摺動溝を有し、
前記飲み口用孔は、前記摺動溝内で、前記蓋本体の内面から外面に貫通するように形成され、
前記開閉操作部材は、前記飲み口用孔を開く開放位置から閉じた閉じ位置との間で摺動可能となるように前記摺動溝内に嵌め込まれ、
前記摺動溝の深さは、前記蓋本体の外面と前記開閉操作部材の外面とが面一になるように設定されていることを特徴とするマグカップ。
【請求項２】
前記蓋本体の外面と前記開閉操作部材の外面とによって形成される面が平坦面であり、
前記蓋本体の周縁部は、前記平坦面よりも外側に突出していることを特徴とする請求項１記載のマグカップ。
【請求項３】
前記蓋本体の外面と前記開閉操作部材の外面とによって形成される面が凹面であり、
前記凹面は、前記蓋本体の周縁部から中心に向けて凹むように形成されていることを特徴とする請求項１記載のマグカップ。
【請求項４】
前記開閉操作部材は、前記開閉操作部材が摺動する摺動方向の一方端部に、前記開閉操作部材を閉操作するための閉用操作部を、前記摺動方向の他方端部に、前記開閉操作部材を開操作するための開用操作部を、それぞれ、備え、
前記開用操作部と閉用操作部とは、それぞれ、前記開閉操作部材の外面から外側に突出するように形成され、
前記開閉操作部材が開操作された状態で、前記蓋本体の周縁部から前記開用操作部までの距離が前記蓋本体の中心から前記開閉操作部材までの距離よりも短く、且つ、前記蓋本体の周縁部から前記閉用操作部までの距離が前記蓋本体の中心から前記閉用操作部までの距離よりも短くなるように配設されていることを特徴とする請求項１〜３の何れか一項に記載のマグカップ。
【請求項５】
前記蓋本体は、前記容器本体内の蒸気を外に逃がすための蒸気逃がし孔を備え、
前記開閉操作部材は、前記開閉操作部材が摺動する摺動方向の一方端部に、前記飲み口用孔を開閉する開閉用部と、前記開閉用部に形成され前記蓋本体に対する前記開閉操作部材の方向を決めるための方向決め用突部とを備えているとともに、前記摺動方向の他方端部に、前記開閉操作部材が閉操作された状態で、前記蒸気逃がし孔と外部とを連通するように形成された連通路を備え、
前記方向決め用突部は、前記開閉操作部材が開操作された状態及び閉操作された状態で、前記飲み口用孔に入り込むように前記開閉用部から突設されていることを特徴とする請求項１〜４の何れか一項に記載のマグカップ。
【考案の詳細な説明】
【技術分野】
【０００１】
本考案は、飲料液等を収容し、収容した飲料液等を飲み口用孔から飲むことができるようにしたマグカップに関するものである。
【背景技術】
【０００２】
従来から、飲料液等を収容し、その収容した飲料液等を飲み口用孔から飲むことができるようにしたマグカップは、広く知られており、例えば特許文献１に、そのようなマグカップが開示されている。
【０００３】
この特許文献１に開示されたマグカップは、上部に開口を有する容器本体と、前記容器本体に、前記開口を塞ぐように着脱自在に取り付けられた蓋部材とを備え、又、蓋部材は、飲み口用孔が形成された板状部を有する蓋本体と、飲み口用孔を開閉操作する開閉操作部材とを備えている。又、開閉操作部材の左右に回転軸が突設され、その回転軸が蓋本体に回動自在に取り付けられている。そして、例えば容器本体に収容された飲料水を飲み口用孔から飲む場合は、開閉操作部材を回動操作して、板状部の上側に重ね合わせるようにして飲み口用孔を開き、その状態で飲み口用孔から飲料液等を飲むことができるようにしている。
【先行技術文献】
【特許文献】
【０００４】
【特許文献１】特許第４４８２９４４号公報
【考案の概要】
【考案が解決しようとする課題】
【０００５】
しかしながら、特許文献１では、容器本体に収容された飲料液等を飲み口用孔から飲む場合に、開閉操作部材を回動操作して板状部の上側に重ね合わせるようにするため、飲み口用孔から飲料液等を飲む際に、開閉操作部材が鼻等に当たり易く、開閉操作部材が邪魔になって飲料液等を飲み難い場合があるという問題点がある。
【０００６】
本考案は、飲み口用孔から飲料液等を飲む際に開閉操作部材が鼻等に当たり難く、飲料液等を飲み易いマグカップを提供することを目的とする。
【課題を解決するための手段】
【０００７】
上記課題を解決するために、本考案は、上部に開口を有する容器本体と、前記容器本体に、前記開口を塞ぐように着脱自在に取り付けられた蓋部材とを備えたマグカップであって、前記蓋部材は、飲み口用孔を有する蓋本体と、前記飲み口用孔を開閉操作する開閉操作部材とを備え、前記蓋本体は、外面を内側に凹ませることにより形成された摺動溝を有し、前記飲み口用孔は、前記摺動溝内で、前記蓋本体の内面から外面に貫通するように形成され、前記開閉操作部材は、前記飲み口用孔を開く開放位置から閉じた閉じ位置との間で摺動可能となるように前記摺動溝内に嵌め込まれ、前記摺動溝の深さは、前記蓋本体の外面と前記開閉操作部材の外面とが面一になるように設定されていることを特徴とするマグカップを提供する。
【０００８】
これによれば、開閉操作部材が蓋本体の外面と開閉操作部材の外面とが面一になるように、摺動溝に摺動自在に嵌り込んでいるため、開閉操作部材が蓋本体の外面から外側に突出することのないものにできる。これにより、飲み口用孔から飲料液等を飲む際に開閉操作部材が鼻等に当たり難く、飲料液等を飲み易いものにできる。
【０００９】
前記蓋本体の外面と前記開閉操作部材の外面とによって形成される面が平坦面であり、前記蓋本体の周縁部は、前記平坦面よりも外側に突出している構成にできる。
【００１０】
これによれば、蓋本体の周縁部が平坦面よりも外側に突出しているため、飲み口用孔から飲料液等を飲む際に、口から蓋部材の中心までを遠ざけることができ、より一層、開閉操作部材が鼻等に当たり難いものにできる。
【００１１】
前記蓋本体の外面と前記開閉操作部材の外面とによって形成される面が凹面であり、前記凹面は、前記蓋本体の周縁部から中心に向けて凹むように形成されている構成にできる。
【００１２】
これによれば、凹面が蓋本体の周縁部から中心に向けて凹むように形成されているため、飲み口用孔から飲料液等を飲む際に、口から蓋部材の中心までを遠ざけることができ、より一層、開閉操作部材が鼻等に当たり難いものにできる。
【００１３】
前記開閉操作部材は、前記開閉操作部材が摺動する摺動方向の一方端部に、前記開閉操作部材を閉操作するための閉用操作部を、前記摺動方向の他方端部に、前記開閉操作部材を開操作するための開用操作部を、それぞれ、備え、前記開用操作部と閉用操作部とは、それぞれ、前記開閉操作部材の外面から外側に突出するように形成され、前記開閉操作部材が開操作された状態で、前記蓋本体の周縁部から前記開用操作部までの距離が前記蓋本体の中心から前記開閉操作部材までの距離よりも短く、且つ、前記蓋本体の周縁部から前記閉用操作部までの距離が前記蓋本体の中心から前記閉用操作部までの距離よりも短くなるように配設されている構成にできる。
【００１４】
これによれば、開閉操作部材が開操作された状態、即ち、飲み口用孔から飲料液等を飲む状態で、開用操作部が蓋本体の周縁部近傍に、閉用操作部が飲み口用孔近傍に、それぞれ配置でき、開用操作部及び閉用操作部が鼻等に当たるおそれの少ないものにできる。従って、飲み口用孔から飲料液等を飲む際に開用操作部及び閉用操作部が邪魔になることなく、円滑に飲料液等を飲むことができる。
【００１５】
前記蓋本体は、前記容器本体内の蒸気を外に逃がすための蒸気逃がし孔を備え、前記開閉操作部材は、前記開閉操作部材が摺動する摺動方向の一方端部に、前記飲み口用孔を開閉する開閉用部と、前記開閉用部に形成され前記蓋本体に対する前記開閉操作部材の方向を決めるための方向決め用突部とを備えているとともに、前記摺動方向の他方端部に、前記開閉操作部材が閉操作された状態で、前記蒸気逃がし孔と外部とを連通するように形成された連通路を備え、前記方向決め用突部は、前記開閉操作部材が開操作された状態及び閉操作された状態で、前記飲み口用孔に入り込むように前記開閉用部から突設されている
構成にできる。
【００１６】
これによれば、例えば容器本体に熱いものを収容した場合でも、蒸気を蒸気逃がし孔から連通路を通って外部に排出でき、容器本体内に溜まることを防止できる。
【００１７】
又、例えば開閉操作部材と蓋本体とが清掃するために外された後、再度組付けられる場合に、誤って開閉操作部材の一方端部と他方端部とを逆にして開閉操作部材が蓋本体に組付けられると、容器本体内に蒸気が溜まり、飲料液等が飲まれる際に、蒸気が飲み口用孔から噴き出るおそれがある。しかし、本考案では、開閉操作部材の一方端部と他方端部とを逆にして開閉操作部材を蓋本体に組付けようとすると、方向決め用突部が飲み口用孔に入らず、開閉操作部材を蓋本体に組付けできない。従って、連通路があることを知らないユーザが開閉操作部材と蓋本体とを組付ける場合でも、蓋本体の飲み口用孔近傍に配置するようなことを防止でき、容器本体内に蒸気が溜まるようなことを防止できる。
【考案の効果】
【００１８】
本考案のマグカップは、飲み口用孔から飲料液等を飲む際に開閉操作部材が鼻等に当たり難く、飲料液等を飲み易い。
【図面の簡単な説明】
【００１９】
【図１】本考案の第１実施形態のマグカップの持ち手を省略した平面図である。
【図２】図１のマグカップの正面図である。
【図３】図１のＩＩＩ−ＩＩＩ線断面図である。
【図４】図１のＩＶ−ＩＶ線断面図である。
【図５】図１のマグカップの蓋本体の平面図である。
【図６】図５の蓋本体の底面図である。
【図７】図５の蓋本体の正面図である。
【図８】図５のＶＩＩＩ−ＶＩＩＩ線断面図である。
【図９】図５のＩＸ−ＩＸ線断面図である。
【図１０】（ａ）は、図１のマグカップの開閉操作部材の平面図、（ｂ）は、図１０（ａ）の底面図、（ｃ）は、図１０（ａ）のＸ−Ｘ線断面図、（ｄ）は、図１０（ａ）のＸＩ−ＸＩ線断面図である。
【図１１】飲み口用孔を開いた状態の平面図である。
【図１２】図１１のＸＩＩ−ＸＩＩ線断面図である。
【図１３】本考案の第２実施形態のマグカップの平面図である。
【図１４】図１３のＸＩＶ−ＸＩＶ線断面図である。
【図１５】図１３のＸＶ−ＸＶ線断面図である。
【図１６】図１３のマグカップの蓋本体の平面図である。
【図１７】図１６の蓋本体の底面面である。
【図１８】図１６の蓋本体の正面図である。
【図１９】図１６のＸＩＸ−ＸＩＸ線断面図である。
【図２０】図１６のＸＸ−ＸＸ線断面図である。
【図２１】図１３のマグカップの開閉操作部材の平面図である。
【図２２】図２１の開閉操作部材の底面図である。
【図２３】図２１のＸＸＩＩＩ−ＸＸＩＩＩ線断面図である。
【図２４】図２１のＸＸＩＶ−ＸＸＩＶ線断面図である。
【図２５】第２実施形態のマグカップの飲み口用孔を開いた状態の平面図である。
【図２６】図２５のＸＸＶＩ−ＸＸＶＩ線断面図である。
【考案を実施するための形態】
【００２０】
以下、本考案を実施するための形態について、図面を参照しながら詳細に説明する。図１は、本考案の第１実施形態のマグカップの持ち手を省略した平面図、図２は、図１のマグカップの正面図、図３は、図１のＩＩＩ−ＩＩＩ線断面図、図４は、図１のＩＶ−ＩＶ線断面図である。尚、以下の説明において、図１の左方向を−Ｘ方向、右方向を＋Ｘ方向とし、前方向を＋Ｙ方向、後方向を−Ｙ方向として説明する。
【００２１】
第１実施形態のマグカップ１０は、容器本体１と、容器本体１に着脱自在に取り付けられた蓋部材２とを備えている。
【００２２】
容器本体１は、この実施形態では、内部に飲用液等を収容する収容部１３が形成されたステンレス製の有底筒状の内容器１２と、内容器１２の外周側に配設されたステンレス製の有底筒状の外容器１１との真空二重構造のもので、収容部１３に収容された飲用液等を保温できるようになっている。
【００２３】
この収容部１３は、上部に開口１３ａを有し、開口１３ａから飲用液等を収納できるようになっている。
【００２４】
又、この実施形態では、容器本体１は、外容器１１の外周に、持ち手１４（図２、図４に一点鎖線で示す）が取り付けられて使用される。尚、持ち手１４が取り付けられる形態のものに限らず、持ち手１４を取り付けないで使用することも可能であり、適宜変更できる。
【００２５】
蓋部材２は、蓋本体３と、開閉操作部材４とを備えている。蓋本体３は、図５〜図９に示すように、平面視で円形状の平板部３１と、平板部３１の周縁部に形成された円筒部３２とを備えている。
【００２６】
平板部３１は、開閉操作部材４を摺動させる摺動溝３３と、開閉操作部材４と係合する係合部３４ａ、３４ｂと、飲み口用孔３５と、蒸気逃がし用孔３６と、開閉操作部材用位置決め部３７を備えている。
【００２７】
摺動溝３３は、平板部３１の外面から所定の幅Ｗ１で、前後方向に沿って形成されており、この摺動溝３３によって蓋本体３における一部に摺動溝３３の幅で他の部分から凹んだ溝底壁３８が形成されている。
【００２８】
係合部は、この実施形態では、溝底壁３８に、互いに所定距離を持って前後方向に平行に延されるように形成された左側（−Ｘ方向側）の左係合部３４ａと右側（＋Ｘ方向側）の右係合部３４ｂとの２つから構成されている。各左係合部３４ａと右係合部３４ｂとは、それぞれ、溝底壁３８の外面３８ａから内面３８ｂに貫通するように形成された長孔状のものからなる。
【００２９】
飲み口用孔３５は、容器本体１の収容部１３に収容された飲用液等を飲むためのもので、この実施形態では、溝底壁３８における係合部３４ａ、３４ｂの前方側（一方側、＋Ｙ方向側））に形成されている。
【００３０】
蒸気逃がし用孔３６は、容器本体１の収容部１３に収容された飲用液等の蒸気を外部に逃がすためのもので、溝底壁３８における係合部３４ａ、３４ｂの後方側（他方側、−Ｙ方向側））に、溝底壁３８を貫通するように形成されている。
【００３１】
開閉操作部材用位置決め部３７は、蓋本体３に対して開閉操作部材４を位置決めするためのもので、この実施形態では、溝底壁３８の外面３８ａにおける蒸気逃がし用孔３６の
前方側に、溝底壁３８の外面３８ａから外側に突設されている。
【００３２】
円筒部３２は、平板部３１の外周の全周から外側に所定の高さで、平板部３１と一体的に突設されている。この円筒部３２は、図７に示すように、外周に、容器本体１の上部に着脱自在に取り付けられる容器本体取付部３２ａを備えている。又、容器本体取付部３２ａには、パッキン５（図３、図４に示す）を取り付けるパッキン取付部３２ｂを備えている。
【００３３】
開閉操作部材４は、飲み口用孔３５を開閉操作するもので、図１０に示すように開閉操作部材本体４１と、開閉操作部材４を開操作するための開用操作部４２と、開閉操作部材４を閉操作するための閉用操作部４３とを備えている。
【００３４】
開閉操作部材本体４１は、平板状のものからなり、その幅Ｗ２が摺動溝３３の幅Ｗ１と同程度に形成され、摺動溝３３に摺動可能に嵌り込むようになっている。又、開閉操作部材本体４１の厚さｔは、平板部３１の外面３１ａから溝底壁３８までの深さｄ（図９に図示）と同程度に設定されている。つまり、摺動溝３３の深さｄは、蓋本体３の平板部３１の外面３１ａと開閉操作部材４の開閉操作部材本体４１の外面４０ａとが面一になるように設定されている。
【００３５】
又、開閉操作部材本体４１は、その前方端部（摺動方向の一方端部）に、飲み口用孔３５を開閉する開閉用部４１ａと、開閉用部４１ａに形成された方向決め用突部４１ｂとを備えている。
【００３６】
方向決め用突部４１ｂは、蓋本体３に対する開閉操作部材４の前後の方向を決めるもので、開閉操作部材本体４１（開閉用部４１ａ）の内面から内側に突設されている。
【００３７】
又、開閉操作部材本体４１は、その内面に、蓋本体３の係合部３４ａ、３４ｂに係合する４つの係合片４３ａ、４３ｂと、蓋本体３の蒸気逃がし孔３６と外部とを連通した連通路４４と、開閉操作部材用位置決め部３７に係脱自在に係合される被位置決め部４５ａ、４５ｂとを備えている。
【００３８】
係合片は、左係合部３４ａに係合される２つの左係合片４３ａと、右係合部３４ｂに係合される２つの右係合片４３ｂとを備えている。
【００３９】
左係合片４３ａは、互いに前後方向に距離を持って並べられるように配置されている。各左係合片４３ａは、可撓性を有する軸部４３ｃと、その軸部４３ｃの先端部に形成された抜け止め用突部４３ｄとを備えている。
【００４０】
軸部４３ｃは、開閉操作部材本体４１の内面から内側に突出し、蓋本体３の左係合部３４ａに移動可能に挿通され得るように形成されている。
【００４１】
抜け止め用突部４３ｄは、蓋本体３の左係合部３４ａに挿通された軸部４３ｃが抜けないように抜け止めするもので、軸部４３ｃから左側方に突設されている。又、抜け止め用突部４３ｄは、先端に行くに従って漸次厚さが薄くなる傾斜面４３ｅを備えている。
【００４２】
右係合片４３ｂは、左係合片４３ａと同構成を採っており、左係合片４３ａと左右対称に配設されている。
【００４３】
連通路４４は、開閉操作部材本体４１の内面に、開閉操作部材本体４１の後方端面から前方にかけて所定長さ及び幅で、凹溝状に形成されている。
【００４４】
被位置決め部は、互いに前後方向に距離を持って形成された開用位置決め部４５ａ及び閉用被位置決め部４５ｂとを備えている。
【００４５】
開用被位置決め部４５ａは、飲み口用孔３５を全開した状態で、開閉操作部材用位置決め部３７と係合する位置に形成されている。この実施形態では、開用被位置決め部４５ａは、開閉操作部材本体４１の略中央部に形成されている。
【００４６】
閉用被位置決め部４５ｂは、開閉用部４１ａによって飲み口用孔３５を閉めた状態で、開閉操作部材用位置決め部３７と係合する位置に形成されている。
【００４７】
又、この実施形態では、閉用被位置決め部４５ｂは、連通路４４の端部に形成されており、連通路４４の一部をなしている。
【００４８】
次に、開用操作部４２と閉用操作部４３とについて説明する。開用操作部４２は、開閉操作部材本体４１の後方端部（摺動方向の一方端部）に、開閉操作部材本体４１の外面４０ａから外側に突設されている。
【００４９】
閉用操作部４３は、開閉操作部材本体４１の前方端部（摺動方向の他方端部）に、開閉操作部材本体４１の外面から外側に突設されている。
【００５０】
このように構成された開閉操作部材４は、次のようにして蓋本体３に組み付けられる。方向決め用突部４１ｂが蓋本体３の飲み口用孔３５側になるように開閉操作部材４の前後方向を決め、その状態から、左係合片４３ａが蓋本体３の左係合部３４ａに、右係合片４３ｂが蓋本体３の右係合部３４ｂに、それぞれ、押し入れられる。
【００５１】
これにより、図示しないが、各抜け止め用突部４３ｄの傾斜面４３ｅが係合部３４ａ、３４ｂの側壁に押圧され、各軸部４３ｃが撓みながら傾斜面４３ｅが係合部３４ａ、３４ｂの側壁を滑り動いて各抜け止め用突部４３ｄが蓋本体３の係合部３４ａ、３４ｂを通過する。
【００５２】
その通過に伴い、図３に示すように各軸部４３ｃが復元して各抜け止め用突部４３ｄが蓋本体３の内面における係合部３４ａ、３４ｂの縁部に当接し、各軸部４３ｃが抜け止めされた状態になる。これにより、開閉操作部材４が蓋本体３に組み付けられた状態になる。
【００５３】
又、この状態で、方向決め用突部４１ｂが蓋本体３の飲み口用孔３５に、開閉操作部材が開操作された状態及び閉操作された状態で、入り込んだ状態になる。又、この開閉操作部材４が蓋本体３に組み付けられた状態で、蓋本体３の平板部３１の外面３１ａと開閉操作部材４の開閉操作部材本体４１の外面４０ａとで形成される面６が面一で平坦な平坦面を形成している。又、この状態で、円筒部３２は、その面６よりも外側に突出している。
【００５４】
そして、開閉操作部材４及びパッキン５が取り付けられた蓋本体３は、容器本体取付部３２ａが容器本体１の上部に取り付けられ、これにより、蓋本体３が容器本体１の開口１３ａを塞ぐように取り付けられる。又、この開口１３ａを塞いだ状態で、例えば収容部１３に熱い飲料液等が収容されている場合には、飲料液等から出た蒸気が蒸気逃がし用孔３６から連通路４４を通って開閉操作部材４の後方端部から外部に出る。
【００５５】
そして、例えば容器本体１の収容部１３に収容された飲料液等を飲む場合は、開閉操作部材４の開用操作部４２を後方に押圧操作する。これにより、図１１、図１２に示すように開閉操作部材４が蓋本体３の摺動溝３３を後方側に摺動し、蓋本体３の飲み口用孔３５が徐々に開いていく。そして、開閉操作部材４の開用被位置決め部４５ａが蓋本体３の開閉操作部材用位置決め部３７と合致すると、開用被位置決め部４５ａに開閉操作部材用位置決め部３７が入り込んで係合する。この状態で、飲み口用孔３５が全開状態になるとともに、容器本体１を傾けても、開閉操作部材４が自重によって蓋本体３に対して摺動しない。
【００５６】
又、この状態で、連通路４４の端部に形成された閉用被位置決め部４５ｂが蒸気逃がし用孔３６に合致し、蒸気逃がし用孔３６から連通路４４を通って開閉操作部材４の後方端部から外部に出る。
【００５７】
従って、この状態で、容器本体１を傾けつつ、飲み口用孔３５から飲料液等を直接飲むことができる。又、その際、蓋本体３の周縁部をなす円筒部３２が平板部３１から外側に突設されているとともに、平板部３１の外面３１ａと開閉操作部材４の開閉操作部材本体４１の外面４０ａとが面一になっているため、開閉操作部材４の外面４０ａが鼻等に当たるおそれが少なく、飲み操作し易い。
【００５８】
又、この飲み口用孔３５が全開した状態で、開閉操作部材４の開用操作部４２と開用操作部４３とのそれぞれから蓋本体３の中心までの距離よりも蓋本体３の円筒部３２までの距離が短く、開用操作部４２又は開用操作部４３が飲み口用孔３５から飲料液等を飲む際に鼻等に当たるおそれが少ない。
【００５９】
飲み口用孔３５を閉めるには、開閉操作部材４の閉用操作部４３を前方に押圧操作する。これにより、開用被位置決め部４５ａから開閉操作部材用位置決め部３７が開閉操作部材４が前方側に摺動する。
【００６０】
そして、開閉操作部材４の閉用被位置決め部４５ｂが蓋本体３の開閉操作部材用位置決め部３７と合致すると、図１に示すように閉用被位置決め部４５ｂに開閉操作部材用位置決め部３７が入り込んで係合する。この状態で、飲み口用孔３５が完全に閉まった状態になるとともに、容器本体１を傾けても、開閉操作部材４が自重によって蓋本体３に対して摺動しない。
【００６１】
又、開閉操作部材４や蓋本体３を清掃する場合、例えば開閉操作部材４を蓋本体３から取り外して行うことができる。開閉操作部材４を蓋本体３から取り外すには、例えば対向する左係合片４３ａの抜け止め用突部４３ｄと右係合片４３ｂの抜け止め用突部４３ｄとを、互いに近づく方向に押圧する。これにより、各軸部４３ｃが撓んで、抜け止め用突部４３ｄが係合部３４ａ、３４ｂに合致して係合部３４ａ、３４ｂから抜け、開閉操作部材４を蓋本体３から取り外すことができる。
【００６２】
清掃後、再度、上述のように方向決め用突部４１ｂが蓋本体３の飲み口用孔３５側になるように開閉操作部材４の前後方向を決め、その状態から、左係合片４３ａを蓋本体３の左係合部３４ａに、右係合片４３ｂを蓋本体３の右係合部３４ｂに、それぞれ、押し入れる。これにより、開閉操作部材４を蓋本体３に組み付けることができる。
【００６３】
その際、例えば開閉操作部材４が方向決め用突部４１ｂを有しない場合には、開閉操作部材４は、連通路４４が蓋本体３の飲み口用孔３５側になった状態で蓋本体３に組み付けられる場合もある。その場合は、蒸気を蒸気逃がし用孔３６から連通路４４に入れることができず外部に出すことができなくなるとともに、蒸気が蒸気逃がし用孔３６から連通路４４に入ると、蒸気が連通路４４から飲み口用孔３５の近傍に出ることになり、飲料液等を飲んでいるユ―ザーに蒸気が当たるおそれがある。
【００６４】
しかし、この実施形態では、開閉操作部材４は、連通路４４が蓋本体３の飲み口用孔３５側になった状態で蓋本体３に組み付けようとすると、方向決め用突部４１ｂが蓋本体３の溝底壁３８に当接して組み付けることができない。従って、連通路４４を有することを知らないユーザーでも、連通路４４が蓋本体３の飲み口用孔３５側になった状態で蓋本体３に組み付けられるおそれのないものにできる。
【００６５】
次に、第２実施形態について、図１３〜図２６に基づいて説明する。尚、なお、図１３〜図２６の各図において、第１実施形態のものと同一の符号を付した構成は、同一の構成であることを示し、適宜、その説明を省略する。
【００６６】
第２実施形態のマグカップ１００は、先の第１実施形態のものと同様に、容器本体１０１と、蓋部材１０２とを備えている。
【００６７】
容器本体１０１は、先の第１実施形態のものと略同構成を採っている。ただし、この容器本体１０１の上端に、持ち手１１４の上端のみが取り付けられて使用されるようになっている。
【００６８】
蓋部材１０２は、先の第１実施形態のものと同様に、蓋本体１０３と、開閉操作部材１０４とを備えている。蓋本体１０３は、凹状板部１３１と、円筒部１３２とを備えている。
【００６９】
凹状板部１３１は、外面１３１ａ及び内面１３１ｂがその中心に凹中心を有し周縁部から中心に向けて凹む凹面に形成されている。又、凹状板部１３１は、先の第１実施形態の平板部３１と同様に、摺動溝３３と、係合部３４ａ、３４ｂと、飲み口用孔３５と、蒸気逃がし用孔３６と、開閉操作部材用位置決め部３７とを備えている。
【００７０】
この第２実施形態の飲み口用孔３５には、後述の開閉操作部材１０４の方向決め用突部４１ｂが嵌入する長孔状の嵌入孔３５ａを備えている。凹状板部１３１の摺動溝３３、係合部３４ａ、３４ｂ、蒸気逃がし用孔３６及び開閉操作部材用位置決め部３７は、先の第１実施形態の平板部３１のものと同構成を採っている。
【００７１】
円筒部１３２は、この第２実施形態では、図１８〜図２０に示すように凹状板部１３１の内面１３１ｂから内側に突設されており、その外周に、容器本体１０１の上部に着脱自在に取り付けられる容器本体取付部１３２ａを備えている。又、容器本体取付部１３２ａには、パッキン５を取り付けるパッキン取付部１３２ｂを備えている。
【００７２】
開閉操作部材１０４は、図２１〜図２３に示すように開閉操作部材本体１４１と、開用操作部４２と、閉用操作部４３とを備えている。開用操作部４２と閉用操作部４３とは、先の第１実施形態のものと略同構成を採っている。
【００７３】
開閉操作部材本体１４１は、その外面１４０ａ及び内面１４０ｂがその中心に凹中心を有し周縁部から中心に向けて凹む凹面に形成されている。又、この開閉操作部材１０４の凹面は、凹状板部１３１の凹面と曲率半径が略同じに形成されている。その他は、先の第１実施形態の開閉操作部材４と同構成を採っている。
【００７４】
詳しくは、開閉操作部材本体１４１は、開閉用部１４１ａと、方向決め用突部４１ｂと、係合片４３ａ、４３ｂと、連通路４４と、被位置決め部４５ａ、４５ｂとを備えている。
【００７５】
このように構成された第２実施形態のマグカップ１００は、開閉操作部材１０４が蓋本体１０３の凹状板部１３１に取り付けられた状態で、図２５、図２６に示すように、蓋本体１０３の凹状板部１３１の外面１３１ａと開閉操作部材１０４の開閉操作部材本体１４１の外面１４０ａとによって形成される面１０６が凹面をなし、蓋本体１０３の周縁部から中心に向けて凹むように形成されている。
【００７６】
従って、第２実施形態のマグカップ１００では、飲み口用孔３５から飲料液等を飲む際に、開閉操作部材１０４が鼻等に当たるおそれが少なく、飲み操作し易いものになる。
【符号の説明】
【００７７】
１０、１００    マグカップ
１、１０１    容器本体
２、１０２    蓋部材
３、１０３    蓋本体
４、１０４    開閉操作部材
３３    摺動溝
３５    飲み口用孔
３６    蒸気逃がし用孔
３７    開閉操作部材用位置決め部
４１、１４１    開閉操作部材本体
４２    開用操作部
４３    閉用操作部
【図１】
0003192011.tif 000003
【図２】
0003192011.tif 000004
【図３】
0003192011.tif 000005
【図４】
0003192011.tif 000006
【図５】
0003192011.tif 000007
【図６】
0003192011.tif 000008
【図７】
0003192011.tif 000009
【図８】
0003192011.tif 000010
【図９】
0003192011.tif 000011
【図１０】
0003192011.tif 000012
【図１１】
0003192011.tif 000013
【図１２】
0003192011.tif 000014
【図１３】
0003192011.tif 000015
【図１４】
0003192011.tif 000016
【図１５】
0003192011.tif 000017
【図１６】
0003192011.tif 000018
【図１７】
0003192011.tif 000019
【図１８】
0003192011.tif 000020
【図１９】
0003192011.tif 000021
【図２０】
0003192011.tif 000022
【図２１】
0003192011.tif 000023
【図２２】
0003192011.tif 000024
【図２３】
0003192011.tif 000025
【図２４】
0003192011.tif 000026
【図２５】
0003192011.tif 000027
【図２６】
0003192011.tif 000028